(57)【要約】【課題】２画面表示の際に主画面および副画面についてのチャンネル切替や音量調整を確実かつ容易に行い得るテレビを提供する。【解決手段】１つのチャンネルの映像を表示部１１に表示させる１画面表示処理並びに２つのチャンネルの各映像をそれぞれ主画面および副画面として表示部１１に表示させる２画面表示処理を実行する主制御部２１と、１画面表示処理の実行時においてチャンネル切替および音量調整を主制御部２１に実行させると共に２画面表示処理の実行時において主画面についてのチャンネル切替および音量調整を制御部に実行させるためのリモコン３と、２画面表示の実行時において副画面についてのチャンネル切替および音量調整の少なくとも一方を主制御部２１に実行させるためのリモコン５とを備えている。【選択図】図１
2006295428.tif 000002
【特許請求の範囲】
【請求項１】
１つのチャンネルの映像を表示部に表示させる１画面表示処理並びに２つのチャンネルの各映像をそれぞれ主画面および副画面として当該表示部に表示させる２画面表示処理を実行する制御部と、前記１画面表示処理の実行時においてチャンネル切替および音量調整を前記制御部に実行させると共に前記２画面表示処理の実行時において前記主画面についてのチャンネル切替および音量調整を当該制御部に実行させるための第１の操作部と、前記２画面表示の実行時において前記副画面についてのチャンネル切替および音量調整の少なくとも一方を前記制御部に実行させるための第２の操作部とを備えているテレビ。
【請求項２】
前記第２の操作部は、前記副画面についての前記映像の表示を停止させるための表示停止スイッチを備えて構成されて、
前記制御部は、前記２画面表示の実行時において前記表示停止スイッチが操作されたときに、前記副画面についての音声を出力させた状態で当該副画面についての映像の表示を停止させる請求項１記載のテレビ。
【請求項３】
前記表示部が配設される本体部を備え、
前記第２の操作部は、前記本体部とは別体に構成され、
前記制御部は、前記第２の操作部との間で通信可能な状態となったときに前記２画面表示処理を実行する請求項１または２記載のテレビ。
【請求項４】
前記第２の操作部は、ヘッドホンまたはイヤホンに取り付けられている請求項３記載のテレビ。
【発明の詳細な説明】
【技術分野】
【０００１】
本発明は、１画面表示処理と２画面表示処理とを実行可能に構成されたテレビに関するものである。
【背景技術】
【０００２】
この種のテレビとして、特開２００３−１４３４３２号公報に開示されたテレビジョン受像機が知られている。このテレビジョン受像機では、２つのテレビ放送チャンネルの番組を主画面および副画面として２画面表示している状態において、チャンネル切替用のキー釦が操作された（押し下げられた）ときに、キー釦の操作時間の長短に基づいて主画面および副画面のいずれのチャンネルを切り替えるかを制御部が判別する。具体的には、制御部は、キー釦の操作時間が設定された時間（例えば１秒）以上のときには、副画面のチャンネルをそのキー釦に対応するチャンネルに切り替え、キー釦の操作時間が１秒よりも短いときには、主画面のチャンネルをそのキー釦に対応するチャンネルに切り替える。このため、このテレビジョン受像機では、チャンネルを切り替える際に、チャンネル切替の対象とする画面を専用の選択キー釦等を用いて選択する必要がない分だけ、操作の簡略化が可能となっている。
【特許文献１】特開２００３−１４３４３２号公報（第５−６頁、第１−３図）
【発明の開示】
【発明が解決しようとする課題】
【０００３】
ところが、上記のテレビ受像機には、以下の問題点がある。すなわち、このテレビ受像機では、制御部が、チャンネル切替の対象となる画面が主画面および副画面のいずれであるかをキー釦の操作時間の長短に基づいて判別している。このため、例えば、副画面のチャンネル切替を意図して、キー釦を長めに操作したつもりであっても、実際の操作時間が、設定された１秒よりも短かったときには、意図していない主画面のチャンネル切替が行われることとなる。このようなときには、主画面のチャンネルを元に戻すためのキー釦の操作と、副画面のチャンネルを切り替えるためのキー釦の再操作とを行う必要があり、却って操作が煩雑となる。
【０００４】
本発明は、かかる問題点に鑑みてなされたものであり、２画面表示の際に主画面および副画面についてのチャンネル切替や音量調整を確実かつ容易に行い得るテレビを提供することを主目的とする。
【課題を解決するための手段】
【０００５】
上記目的を達成すべく本発明に係るテレビは、１つのチャンネルの映像を表示部に表示させる１画面表示処理並びに２つのチャンネルの各映像をそれぞれ主画面および副画面として当該表示部に表示させる２画面表示処理を実行する制御部と、前記１画面表示処理の実行時においてチャンネル切替および音量調整を前記制御部に実行させると共に前記２画面表示処理の実行時において前記主画面についてのチャンネル切替および音量調整を当該制御部に実行させるための第１の操作部と、前記２画面表示の実行時において前記副画面についてのチャンネル切替および音量調整の少なくとも一方を前記制御部に実行させるための第２の操作部とを備えている。
【０００６】
このテレビは、２画面表示の実行時において副画面についてのチャンネル切替および音量調整の少なくとも一方を制御部に実行させるための第２の操作部を備えている。このため、２画面表示の実行時において、第１の操作部を用いることなく、副画面についてのチャンネル切替や音量調整を行うことができる。このため、主画面および副画面についてのチャンネル切替や音量調整を第１の操作部および第２の操作部の操作で個別的に行うことができる。したがって、キー釦の操作時間の長短に基づいてチャンネル切替の対象となる画面が主画面および副画面のいずれであるかが判別される従来のテレビジョン受像機とは異なり、２画面表示の実行時における主画面および副画面についてのチャンネル切替や音量調整を確実かつ容易に行うことができる。
【０００７】
また、本発明に係るテレビは、上記のテレビにおいて、前記第２の操作部は、前記副画面についての前記映像の表示を停止させるための表示停止スイッチを備えて構成されて、前記制御部は、前記２画面表示の実行時において前記表示停止スイッチが操作されたときに、前記副画面についての音声を出力させた状態で当該副画面についての映像の表示を停止させる。
【０００８】
このテレビでは、２画面表示の実行時において表示停止スイッチが操作されたときに、制御部が、副画面についての音声を出力させた状態で副画面についての映像の表示を停止させる。このため、例えば、１つのチャンネル（番組）の映像を１画面表示させた状態でその映像とその番組の音声とをあるユーザが視聴し、他のチャンネル（番組）の音声だけを例えばヘッドホンを用いて他のユーザが聴くような使用形態に対応することができる。また、このような使用形態においても、１画面表示させる番組のチャンネル切替や音量調整と、ヘッドホンを用いて音声を聴く番組のチャンネル切替や音量調整とを第１の操作部および第２の操作部を用いて個別的に行うことができる。
【０００９】
また、本発明に係るテレビは、上記のテレビにおいて、前記表示部が配設される本体部を備え、前記第２の操作部は、前記本体部とは別体に構成され、前記制御部は、前記第２の操作部との間で通信可能な状態となったときに前記２画面表示処理を実行する。
【００１０】
このテレビでは、制御部が、第２の操作部との間で通信可能な状態となったときに、２画面表示処理を実行する。このため、例えば、第１の操作部を用いた切替操作を行うことなく、第２の操作部と制御部とを通信可能な状態とするだけで、１画面表示から２画面表示への切替えを行うことができる。
【００１１】
また、本発明に係るテレビは、上記のテレビにおいて、前記第２の操作部は、ヘッドホンまたはイヤホンに取り付けられている。
【００１２】
このテレビでは、第２の操作部がヘッドホンまたはイヤホンに取り付けられている。このため、第２の操作部の紛失を確実に防止することができる。
【発明を実施するための最良の形態】
【００１３】
以下、本発明に係るテレビの最良の形態について、添付図面を参照して説明する。図１に示すテレビ１は、リアプロジェクションテレビであって、本体部２、リモコン３、ヘッドホン４およびリモコン５を備えて構成されている。本体部２は、表示部１１、映像表示処理部１２、選局処理部１３、チューナ１４ａ，１４ｂ（以下、区別しないときには「チューナ１４」ともいう）、映像音声処理部１５ａ，１５ｂ（以下、区別しないときには「映像音声処理部１５」ともいう）、音量調整部１６、音声出力部１７ａ，１７ｂ（以下、区別しないときには「音声出力部１７」ともいう）、受光部１８、端子１９ａ，１９ｂ（以下、区別しないときには「端子１９」ともいう）、スピーカ２０および主制御部２１を備えている。
【００１４】
表示部１１は、図１に示すように、光学エンジン３１およびスクリーンパネル３２を備えている。光学エンジン３１は、本体部２の内部に配設されて、映像表示処理部１２から出力される表示用信号Ｓｅに基づいて変調した投射光Ｌをスクリーンパネル３２の背面側から投射する。具体的には、光学エンジン３１は、例えば、光源と、光変調素子（一例として、デジタルマイクロミラーデバイスや液晶ライトバルブ）と、投射レンズ（いずれも図示せず）とを備えている。なお、このテレビ１では、実際には、光学エンジン３１からの投射光Ｌが図外の反射ミラーによって反射されてスクリーンパネル３２に投射される。スクリーンパネル３２は、図２に示すように、本体部２の前面側に配設されて、投射光Ｌを受光して映像を表示する。
【００１５】
映像表示処理部１２は、主制御部２１の制御に従い、映像音声処理部１５ａから出力された映像データＤｐに基づき、例えば、図２に示すように、テレビ映像Ｐｔ１（以下、映像の内容を区別しないときには「テレビ映像Ｐｔ」ともいう）を表示部１１のスクリーンパネル３２に１画面表示させるための表示用信号Ｓｅを生成して光学エンジン３１に出力する。また、映像表示処理部１２は、主制御部２１の制御に従い、映像音声処理部１５ａ，１５ｂからそれぞれ出力された映像データＤｐ，Ｄｐに基づき、例えば、図５に示すように、２つのテレビ映像Ｐｔ２，Ｐｔ３をそれぞれ主画面および副画面として表示部１１のスクリーンパネル３２に２画面表示させるための表示用信号Ｓｅを生成して光学エンジン３１に出力する。選局処理部１３は、主制御部２１の制御に従って制御信号Ｓｃ２を出力することにより、チューナ１４ａ，１４ｂおよび映像音声処理部１５ａ，１５ｂを制御する。
【００１６】
チューナ１４ａ，１４ｂは、選局処理部１３から出力された制御信号Ｓｃ２に従い、その制御信号Ｓｃ２によって指定されたチャンネルの放送信号Ｓｂを図外のアンテナで受信した放送波から抽出して、映像音声処理部１５ａ，１５ｂにそれぞれ出力する。映像音声処理部１５は、例えば、ＩＦ回路、音声検波回路、映像検波回路およびＡ／Ｄ変換部（いずれも図示せず）などを備えて構成されている。この場合、映像音声処理部１５ａは、チューナ１４ａから出力された放送信号Ｓｂに基づいて映像データＤｐおよび音声データＤｓを生成して、映像表示処理部１２および音声出力部１７ａにそれぞれ出力する。また、映像音声処理部１５ｂは、チューナ１４ｂから出力された放送信号Ｓｂに基づいて映像データＤｐおよび音声データＤｓを生成して、映像表示処理部１２および音声出力部１７ｂにそれぞれ出力する。
【００１７】
音量調整部１６は、主制御部２１の制御に従って制御信号Ｓｃ３を出力することにより、音声出力部１７ａ，１７ｂから出力される音声信号Ｓｓの音量（レベル）を調整する。音声出力部１７ａは、映像音声処理部１５ａから出力された音声データＤｓに基づいて音声信号Ｓｓを生成してスピーカ２０（図１，２参照）に出力する。音声出力部１７ｂは、映像音声処理部１５ｂから出力された音声データＤｓに基づいて音声信号Ｓｓを生成して端子１９ａ（図１，２参照）に出力する。この場合、音声出力部１７ａ，１７ｂは、音量調整部１６から出力された制御信号Ｓｃ３によって指定された音量で音声信号Ｓｓを出力する。受光部１８は、リモコン３から出力された赤外線信号Ｓｉを受光して光電変換することにより、リモコン３による操作内容を示す操作信号Ｓｏ１を主制御部２１に出力する。端子１９ａ，１９ｂは、図２に示すように、本体部２の正面パネルに配設されている。この場合、端子１９ａは、リモコン５のプラグ５ａを差し込み可能に構成されて、音声出力部１７ｂからの音声信号Ｓｓをプラグ５ａおよびリモコン５を介してヘッドホン４に出力する。また、端子１９ｂは、リモコン５のプラグ５ｂを差し込み可能に構成されて、リモコン５からの操作信号Ｓｏ２をプラグ５ｂを介して入力して主制御部２１に出力する。
【００１８】
主制御部２１は、本発明における制御部に相当し、受光部１８から出力された操作信号Ｓｏ１、および端子１９ｂを介して入力した操作信号Ｓｏ２、つまりリモコン３，５の操作に従って制御信号Ｓｃ１を出力することにより、映像表示処理部１２、選局処理部１３および音量調整部１６を制御する。また、主制御部２１は、リモコン３における表示モード切替スイッチ４４（図２参照）の操作によって「１画面表示モード」が選択されたときには、１つのテレビ映像Ｐｔを表示部１１に表示させる１画面表示処理を実行する。また、主制御部２１は、表示モード切替スイッチ４４の操作よって「２画面表示モード」が選択されたときには、２つのテレビ映像Ｐｔ，Ｐｔをそれぞれ主画面および副画面として表示部１１に表示させる２画面表示処理を実行する。
【００１９】
また、主制御部２１は、リモコン５のプラグ５ｂが端子１９ｂに差し込まれているか否かを検出する。この場合、主制御部２１は、その検出結果に応じて、後述する表示切替処理７０，８０（図１２，１３参照）のいずれかを実行することにより、表示モード切替スイッチ４４の操作によって「自動切替モード」が選択されている状態において、上記の１画面表示処理および２画面表示処理を切り替えて実行する。さらに、主制御部２１は、１画面表示処理の実行時におけるチャンネル切替や音量調整、および２画面表示処理の実行時における主画面についてのチャンネル切替や音量調整をリモコン３の操作に従って実行する。また、主制御部２１は、２画面表示処理の実行時における副画面についてのチャンネル切替や音量調整をリモコン５の操作に従って実行する。また、主制御部２１は、２画面表示の実行時において、リモコン３の表示停止スイッチ５３（図２参照）が操作されたときには、端子１９ａに対する音声信号Ｓｓの出力を維持させつつ副画面についてのテレビ映像Ｐｔの表示を停止させる。
【００２０】
リモコン３は、本発明における第１の操作部に相当し、図２に示すように、本体部２とは別体に構成されている。また、リモコン３は、電源スイッチ４１、チャンネルスイッチ４２，４２・・、音量調整スイッチ４３ａ，４３ｂ（以下、区別しないときには「音量調整スイッチ４３」ともいう）および表示モード切替スイッチ４４などの各種スイッチが配列されて構成され、これらが操作されたときに、各スイッチに対応する操作信号を赤外線信号Ｓｉに変換して出力する。この場合、チャンネルスイッチ４２，４２・・は、１画面表示の実行時においてチャンネル切替に用いられると共に、２画面表示の実行時において主画面についてのチャンネル切替に用いられる。また、音量調整スイッチ４３は、１画面表示の実行時において音量調整に用いられると共に、２画面表示の実行時において主画面についての音量調整に用いられる。
【００２１】
ヘッドホン４は、端子１９ａを介して入力した音声信号Ｓｓに基づく音声を出力する。リモコン５は、本発明における第２の操作部に相当し、図２に示すように、本体部２とは別体に構成されて、ケーブルを介してヘッドホン４に接続されている（取り付けられている）。また、リモコン５は、チャンネルスイッチ５１ａ，５１ｂ（以下、区別しないときには「チャンネルスイッチ５１」ともいう）、音量調整スイッチ５２ａ，５２ｂ（以下、区別しないときには「音量調整スイッチ５２」ともいう）および表示停止スイッチ５３を備えて構成され、これらが操作されたときに、各スイッチに対応する操作信号Ｓｏ２をプラグ５ｂを介して主制御部２１に出力する。また、リモコン５は、端子１９ａを介して入力した音声信号Ｓｓをヘッドホン４に出力する。
【００２２】
次に、テレビ１の全体的な動作について、図面を参照して説明する。なお、初期状態においては、リモコン５のプラグ５ａ，５ｂが端子１９ａ，１９ｂに差し込まれていないものとする。また、初期状態においては、１画面表示モードが選択されているものとする。このテレビ１では、リモコン３の電源スイッチ４１が操作されたときに、表示部１１の光学エンジン３１に電源が供給されて光源が発光し、主制御部２１が１画面表示処理を実行する。具体的には、主制御部２１は、直前の電源切断時に選択されていたチャンネル（例えばチャンネルＣＨ３）を選局させる制御信号Ｓｃ１を選局処理部１３に出力すると共に、そのチャンネルのテレビ映像Ｐｔを１画面表示させる制御信号Ｓｃ１を映像表示処理部１２に出力する。また、主制御部２１は、そのテレビ映像Ｐｔについての音声を直前の電源切断時に設定されていた例えば「１８」の音量レベル（図２に示す音量レベル画像Ｐｖ１参照）で出力させる制御信号Ｓｃ１を音量調整部１６に出力する。次に、選局処理部１３が、制御信号Ｓｃ１に従ってチューナ１４ａおよび映像音声処理部１５ａに制御信号Ｓｃ２を出力する。次いで、チューナ１４ａが、制御信号Ｓｃ２に従ってチャンネルＣＨ３の放送信号Ｓｂを抽出し、映像音声処理部１５ａが、制御信号Ｓｃ２に従って放送信号Ｓｂに基づく映像データＤｐおよび音声データＤｓを映像表示処理部１２および音声出力部１７ａにそれぞれ出力する。
【００２３】
続いて、映像表示処理部１２が、映像データＤｐに基づく表示用信号Ｓｅを生成して表示部１１の光学エンジン３１に出力する。これに応じて、光学エンジン３１が、光源からの光を表示用信号Ｓｅに基づく投射光Ｌに変調してスクリーンパネル３２に投射する。これにより、図２に示すように、チャンネルＣＨ３のテレビ映像Ｐｔ１がスクリーンパネル３２に１画面表示される。一方、音量調整部１６は、主制御部２１から出力された制御信号Ｓｃ１に従い、音声信号Ｓｓを「１８」の音量レベルで出力させる制御信号Ｓｃ３を音声出力部１７ａに出力する。これに応じて、音声出力部１７ａが、映像音声処理部１５ａからの音声データＤｓに基づく音声信号Ｓｓを生成してスピーカ２０に出力する。これにより、チャンネルＣＨ３の音声が「１８」の音量レベルでスピーカ２０から出力される。
【００２４】
次に、例えば、テレビ映像Ｐｔ１に代えて、チャンネルＣＨ１のテレビ映像Ｐｔを１画面表示させるときには、リモコン３におけるチャンネルＣＨ１に対応するチャンネルスイッチ４２（図２に示す「１」の数字が付されたチャンネルスイッチ４２）を操作する。この際に、リモコン３がチャンネルスイッチ４２に対応する赤外線信号Ｓｉを出力し、受光部１８が赤外線信号Ｓｉを受光して操作信号Ｓｏ１を出力する。次いで、主制御部２１は、操作信号Ｓｏ１に従い、チャンネルＣＨ１を選局させる制御信号Ｓｃ１を選局処理部１３に出力すると共に、チャンネルＣＨ１のテレビ映像Ｐｔを１画面表示させる制御信号Ｓｃ１を映像表示処理部１２に出力する。また、主制御部２１は、チャンネルＣＨ１のテレビ映像Ｐｔについての音声を上記の「１８」の音量レベルで出力させる制御信号Ｓｃ１を音量調整部１６に出力する。続いて、映像表示処理部１２、選局処理部１３、チューナ１４ａ、映像音声処理部１５ａ、音量調整部１６、音声出力部１７ａおよび光学エンジン３１が上記と同様に動作することにより、図３に示すように、チャンネルＣＨ１のテレビ映像Ｐｔ２がスクリーンパネル３２に１画面表示されると共に、チャンネルＣＨ１の音声が「１８」の音量レベルでスピーカ２０から出力される（同図に示す音量レベル画像Ｐｖ２参照）。
【００２５】
次に、チャンネルＣＨ１の音量レベルを「１８」から「２０」に増加させるときには、リモコン３の音量調整スイッチ４３ａを操作する。この際に、主制御部２１は、操作信号Ｓｏ１に従い、音声を「２０」の音量レベルで出力させる制御信号Ｓｃ１を音量調整部１６に出力し、音量調整部１６が制御信号Ｓｃ１に従って制御信号Ｓｃ３を出力する。これに応じて、音声出力部１７ａは、映像音声処理部１５ａからの音声データＤｓに基づく音声信号Ｓｓを「２０」の音量レベルで出力する。これにより、チャンネルＣＨ１の音声が「２０」の音量レベルで出力される（図４に示す音量レベル画像Ｐｖ３参照）。
【００２６】
次いで、例えば、表示中のチャンネルＣＨ１のテレビ映像Ｐｔ２を主画面とし、チャンネルＣＨ６のテレビ映像Ｐｔを副画面として両テレビ映像Ｐｔ，Ｐｔを２画面表示させるときには、リモコン３の表示モード切替スイッチ４４を操作して「２画面表示モード」を選択した後に、チャンネルＣＨ６に対応するチャンネルスイッチ４２（図２に示す「６」の数字が付されたチャンネルスイッチ４２）を操作する。この際に、主制御部２１は、操作信号Ｓｏ１に従い、２画面表示処理を実行する。この場合、主制御部２１は、チャンネルＣＨ１，ＣＨ６を選局させる制御信号Ｓｃ１を選局処理部１３に出力すると共に、チャンネルＣＨ１，ＣＨ６の各テレビ映像Ｐｔ，Ｐｔを２画面表示させる制御信号Ｓｃ１を映像表示処理部１２に出力する。また、主制御部２１は、チャンネルＣＨ１，ＣＨ６の各音声を現在選択されている「２０」の音量レベルで出力させる制御信号Ｓｃ１を音量調整部１６に出力する。続いて、選局処理部１３が、制御信号Ｓｃ１に従ってチューナ１４ａ，１４ｂおよび映像音声処理部１５ａ，１５ｂに制御信号Ｓｃ２を出力する。
【００２７】
これに応じて、チューナ１４ａがチャンネルＣＨ１の放送信号Ｓｂを抽出し、映像音声処理部１５ａがその放送信号Ｓｂに基づく映像データＤｐおよび音声データＤｓを映像表示処理部１２および音声出力部１７ａにそれぞれ出力する。また、チューナ１４ｂがチャンネルＣＨ６の放送信号Ｓｂを抽出し、映像音声処理部１５ｂがその放送信号Ｓｂに基づく映像データＤｐおよび音声データＤｓを映像表示処理部１２および音声出力部１７ｂにそれぞれ出力する。次いで、映像表示処理部１２が、映像音声処理部１５ａ，１５ｂからそれぞれ出力された映像データＤｐ，Ｄｐに基づいて２画面表示用の表示用信号Ｓｅを生成して光学エンジン３１に出力する。この場合、映像表示処理部１２は、チャンネルＣＨ１のテレビ映像Ｐｔが主画面である旨を示す枠画像Ｐｆ（図５参照）を表示可能に表示用信号Ｓｅを生成する。続いて、光学エンジン３１が表示用信号Ｓｅに基づく投射光Ｌを投射することにより、同図に示すように、チャンネルＣＨ１のテレビ映像Ｐｔ２とチャンネルＣＨ６のテレビ映像Ｐｔ３とがスクリーンパネル３２に２画面表示され、テレビ映像Ｐｔ２の周囲には、枠画像Ｐｆが表示される。
【００２８】
一方、音量調整部１６は、制御信号Ｓｃ１に従って音声出力部１７ａ，１７ｂに制御信号Ｓｃ３を出力する。これに応じて、音声出力部１７ａは、映像音声処理部１５ａからの音声データＤｓに基づく音声信号Ｓｓを「２０」の音量レベルでスピーカ２０に出力する。これにより、チャンネルＣＨ１の音声が「２０」の音量レベル（図５に示す音量レベル画像Ｐｖ４参照）でスピーカ２０から出力される。また、音声出力部１７ｂは、映像音声処理部１５ｂからの音声データＤｓに基づく音声信号Ｓｓを「２０」の音量レベルで端子１９ａに出力する。この場合、図２に示すように、リモコン５のプラグ５ａ，５ｂを端子１９ａ，１９ｂにそれぞれ接続することで、チャンネルＣＨ６の音声が「２０」の音量レベル（図５に示す音量レベル画像Ｐｖ５参照）でヘッドホン４から出力される。
【００２９】
次に、表示中のチャンネルＣＨ１のテレビ映像Ｐｔ２に代えて、他のチャンネルのテレビ映像Ｐｔを主画面として表示させるときには、リモコン３のチャンネルスイッチ４２を操作する。この場合、主制御部２１は、２画面表示処理の実行時においてチャンネルスイッチ４２に対応する操作信号Ｓｏ１が出力されたときには、主画面についてのチャンネル切替が指示されたと判別する。したがって、例えば、チャンネルＣＨ２に対応するチャンネルスイッチ４２（図２に示す「２」の数字が付されたチャンネルスイッチ４２）が操作されたときには、主制御部２１は、チャンネルＣＨ１に代えて、チャンネルＣＨ２を選局させる制御信号Ｓｃ１を選局処理部１３に出力する。また、主制御部２１は、主画面用として現在選択されている「２０」の音量レベルで音声信号Ｓｓを出力させる制御信号Ｓｃ１を音量調整部１６に出力する。
【００３０】
次いで、映像表示処理部１２、選局処理部１３、チューナ１４ａ、映像音声処理部１５ａ、音量調整部１６、音声出力部１７ａおよび光学エンジン３１が上記と同様に動作することにより、図６に示すように、テレビ映像Ｐｔ２に代えて、チャンネルＣＨ２のテレビ映像Ｐｔ４が主画面として表示される。また、チャンネルＣＨ２の音声が、チャンネルスイッチ４２の操作前と同じ「２０」の音量レベル（同図に示す音量レベル画像Ｐｖ６参照）でスピーカ２０から出力される。以下、２画面表示の実行状態においてチャンネルスイッチ４２が操作される度に、主制御部２１は上記と同様の処理を実行する。これにより、チャンネルスイッチ４２の操作に応じて主画面についてのチャンネル切替が行われる。
【００３１】
一方、主画面についての音量レベルを変更するときには、リモコン３の音量調整スイッチ４３を操作する。この場合、主制御部２１は、２画面表示処理の実行時において音量調整スイッチ４３に対応する操作信号Ｓｏ１が出力されたときには、主画面についての音量を増減する旨が指示されたと判別する。したがって、例えば、音量調整スイッチ４３ａが操作されたときには、主制御部２１は、主画面についての音量を増加させて、例えば「２４」の音量レベルで出力させる制御信号Ｓｃ１を音量調整部１６に出力する。次いで、音量調整部１６および音声出力部１７ａ，１７ｂが上記と同様に動作することにより、チャンネルＣＨ２の音声が、「２４」の音量レベル（図７に示す音量レベル画像Ｐｖ７参照）でスピーカ２０から出力され、チャンネルＣＨ６の音声が、音量調整スイッチ４３ａの操作前と同じ「２０」の音量レベルでヘッドホン４から出力される。以下、２画面表示の実行状態において音量調整スイッチ４３が操作される度に、主制御部２１は、上記と同様の処理を実行する。これにより、音量調整スイッチ４３の操作に応じて主画面についての音量調整が行われる。
【００３２】
次に、表示中のチャンネルＣＨ６のテレビ映像Ｐｔ３に代えて、他のチャンネルのテレビ映像Ｐｔを副画面として表示させるときには、リモコン５のチャンネルスイッチ５１を操作する。次いで、主制御部２１は、リモコン５からの操作信号Ｓｏ２に基づき、操作されたスイッチを特定すると共に、そのスイッチに応じた副画面についての各種処理を行う副画面制御処理６０（図８参照）を実行する。この際に、チャンネルスイッチ５１に対応する操作信号Ｓｏ２がリモコン５から出力されているため、主制御部２１は、チャンネルスイッチ５１が操作されたと判別し（ステップ６１）、操作信号Ｓｏ２に従って副画面についてのチャンネル切替処理を実行する（ステップ６２）。この場合、主制御部２１は、２画面表示処理の実行時において、チャンネルスイッチ５１ａに対応する操作信号Ｓｏ２が出力されたときには、副画面についてのチャンネルをアップさせる旨が指示されたと判別し、チャンネルスイッチ５１ｂに対応する操作信号Ｓｏ２が出力されたときには、副画面についてのチャンネルをダウンさせる旨が指示されたと判別する。したがって、例えば、チャンネルスイッチ５１ａが１回操作されたときには、主制御部２１は、チャンネルＣＨ６に代えて、チャンネルＣＨ７を選局させる制御信号Ｓｃ１を選局処理部１３に出力する。また、主制御部２１は、副画面用として現在選択されている「２０」の音量レベルで音声信号Ｓｓを出力させる制御信号Ｓｃ１を音量調整部１６に出力する。
【００３３】
次いで、映像表示処理部１２、選局処理部１３、チューナ１４ｂ、映像音声処理部１５ｂ、音量調整部１６、音声出力部１７ｂおよび光学エンジン３１が上記と同様に動作することにより、図９に示すように、テレビ映像Ｐｔ３に代えて、チャンネルＣＨ７のテレビ映像Ｐｔ５が副画面として表示される。また、チャンネルＣＨ２の音声が、チャンネルスイッチ５１ａの操作前と同じ「２４」の音量レベル（同図に示す音量レベル画像Ｐｖ７参照）でスピーカ２０から出力され、チャンネルＣＨ７の音声が、チャンネルスイッチ５１ａの操作前と同じ「２０」の音量レベル（同図に示す音量レベル画像Ｐｖ８参照）でヘッドホン４から出力される。以下、２画面表示の実行状態においてチャンネルスイッチ５１が操作される度に、主制御部２１は上記と同様のチャンネル切替処理を実行する。これにより、チャンネルスイッチ５１の操作に応じて副画面についてのチャンネル切替が行われる。
【００３４】
一方、副画面についての音量レベルを変更するときには、リモコン５の音量調整スイッチ５２を操作する。次いで、主制御部２１は、リモコン５からの操作信号Ｓｏ２に基づき、上記の副画面制御処理６０を実行する。この際に、音量調整スイッチ５２に対応する操作信号Ｓｏ２がリモコン５から出力されているため、主制御部２１は、音量調整スイッチ５２が操作されたと判別し（ステップ６３）、操作信号Ｓｏ２に従って副画面についての音量調整処理を実行する（ステップ６４）。この場合、主制御部２１は、２画面表示処理の実行時において、音量調整スイッチ５２ａに対応する操作信号Ｓｏ２が出力されたときには、副画面についての音量を増加させる旨が指示されたと判別し、音量調整スイッチ５２ｂに対応する操作信号Ｓｏ２が出力されたときには、副画面についての音量を減少させる旨が指示されたと判別する。したがって、例えば、音量調整スイッチ５２ｂが操作されたときには、主制御部２１は、副画面についての音量を減少させて、例えば「１８」の音量レベルで出力させる制御信号Ｓｃ１を音量調整部１６に出力する。次に、音量調整部１６および音声出力部１７ａ，１７ｂが上記と同様に動作することにより、チャンネルＣＨ２の音声が、音量調整スイッチ５２ｂの操作前と同じ「２４」の音量レベルでスピーカ２０から出力され、チャンネルＣＨ７の音声が、「１８」の音量レベル（図１０に示す音量レベル画像Ｐｖ９参照）でヘッドホン４から出力される。以下、２画面表示の実行状態において音量調整スイッチ５２が操作される度に、主制御部２１は、上記と同様の音量調整処理を実行する。これにより、音量調整スイッチ５２の操作に応じて副画面についての音量調整が行われる。
【００３５】
次に、副画面についての音声を出力させた状態で、副画面としてのテレビ映像Ｐｔ（この場合、チャンネルＣＨ７のテレビ映像Ｐｔ５）の表示を停止させる、つまり、副画面についての音声を出力させた状態で主画面についてのテレビ映像Ｐｔ（この場合、チャンネルＣＨ２のテレビ映像Ｐｔ４）を１画面表示させるときには、リモコン５の表示停止スイッチ５３を操作する。次いで、主制御部２１は、リモコン５からの操作信号Ｓｏ２に基づき、上記の副画面制御処理６０を実行する。この際に、表示停止スイッチ５３に対応する操作信号Ｓｏ２がリモコン５から出力されているため、主制御部２１は、表示停止スイッチ５３が操作されたと判別し（ステップ６５）、操作信号Ｓｏ２に従って副画面としてのテレビ映像Ｐｔの表示停止処理、つまり２画面表示から１画面表示への切替処理を実行する（ステップ６６）。この場合、主制御部２１は、チャンネルＣＨ２，ＣＨ７の音声出力を維持した状態でチャンネルＣＨ７のテレビ映像Ｐｔだけを表示停止させる制御信号Ｓｃ１を選局処理部１３に出力すると共に、ＣＨ２のテレビ映像Ｐｔを１画面表示させる制御信号Ｓｃ１を映像表示処理部１２に出力する。次いで、選局処理部１３が、制御信号Ｓｃ１に従って制御信号Ｓｃ２を出力する。これに応じて、映像音声処理部１５ｂが音声データＤｓの出力を維持した状態で、映像データＤｐの出力を停止する。続いて、映像表示処理部１２が映像音声処理部１５ａからの映像データＤｐに基づく表示用信号Ｓｅを出力することにより、図１１に示すように、チャンネルＣＨ２のテレビ映像Ｐｔ４がスクリーンパネル３２に１画面表示される。
【００３６】
また、音量調整部１６および音声出力部１７ａ，１７ｂが上記と同様に動作することにより、チャンネルＣＨ２の音声が、表示停止スイッチ５３の操作前と同じ「２４」の音量レベル（図１１に示す音量レベル画像Ｐｖ１０参照）でスピーカ２０から出力され、チャンネルＣＨ７の音声が、表示停止スイッチ５３の操作前と同じ「１８」の音量レベル（同図に示す音量レベル画像Ｐｖ１１参照）でヘッドホン４から出力される。この場合、この状態において、リモコン５の音量調整スイッチ５２が操作されたときには、主制御部２１は、上記と同様の音量調整処理を実行する。また、この状態において、リモコン５のチャンネルスイッチ５１が操作されたときには、主制御部２１は、上記と同様のチャンネル切替処理を実行する。このため、１つのチャンネルの番組のテレビ映像Ｐｔを１画面表示させた状態でそのテレビ映像Ｐｔとその番組の音声とをあるユーザが視聴し、他のチャンネルの番組の音声だけをヘッドホン４を用いて他のユーザが聴くような使用形態において、両ユーザがリモコン３およびリモコン５をそれぞれ操作することにより、各自が任意にチャンネル切替や音量調整を行うことが可能となる。
【００３７】
一方、上記した１画面表示処理の実行中に、表示モード切替スイッチ４４を操作して「自動切替モード」を選択した状態において、図２に示すように、リモコン５のプラグ５ｂを端子１９ｂに差し込んでリモコン５と主制御部２１とが通信可能な状態となったときには、主制御部２１が、電気的検出回路または機械的検出部（いずれも図示せず）の検出信号に基づいて端子１９ｂへのプラグ５ｂの差し込みを検出して、図１２に示す表示切替処理７０を実行する。この表示切替処理７０では、主制御部２１は、現在のモードが自動切替モードであるか否かを判別する（ステップ７１）。この際に、現在のモードが自動切替モードであると判別したときには、主制御部２１は、上記した２画面表示処理を実行する（ステップ７２）。この場合、主制御部２１は、１画面表示処理の実行時に選択されていたチャンネルのテレビ映像Ｐｔを主画面とし、直前の２画面表示処理の実行時に副画面として選択されていたチャンネルのテレビ映像Ｐｔを副画面として両テレビ映像Ｐｔ，Ｐｔを２画面表示させる。次いで、主制御部２１は、リモコン５との通信を開始する（ステップ７３）。一方、ステップ７１において、現在のモードが自動切替モードではないと判別したときには、主制御部２１は、ステップ７２を実行することなくステップ７３を実行する。
【００３８】
また、２画面表示処理の実行中に、「自動切替モード」を選択した状態において、プラグ５ｂを端子１９ｂから抜き取ったときには、主制御部２１が、抜き取りを検出して、図１３に示す表示切替処理８０を実行する。この表示切替処理８０では、主制御部２１は、現在のモードが自動切替モードであるか否かを判別する（ステップ８１）。この際に、現在のモードが自動切替モードであると判別したときには、主制御部２１は、上記した１画面表示処理を実行した後に（ステップ８２）、リモコン５との通信を終了する（ステップ８３）。一方、ステップ８１において、現在のモードが自動切替モードではないと判別したときには、主制御部２１は、ステップ８２を実行することなくステップ８３を実行する。つまり、主制御部２１は、上記した表示切替処理７０，８０を実行することにより、「自動切替モード」が選択されている状態において、プラグ５ｂの差込みおよび引抜きの検出結果に応じて、１画面表示処理および２画面表示処理を切り替えて実行する。このため、リモコン３を操作することなくプラグ５ｂの差込みおよび引抜きだけで１画面表示と２画面表示とを切り替えることが可能となる。なお、リモコン５と主制御部２１とが通信可能な状態を検出する構成は、上記の構成に限らず、例えば、主制御部２１が端子１９ｂ側の負荷インピーダンスを定期的に検出して、負荷インピーダンスが無限大の状態から所定のインピーダンスまで低下した状態となったときに通信可能な状態になったと検出することもできるし、各種の構成を適宜採用することができる。
【００３９】
このように、このテレビ１によれば、２画面表示の実行時において副画面についてのチャンネル切替および音量調整を主制御部２１に実行させるためのリモコン５を備えたことにより、２画面表示の実行時において、リモコン３を用いることなく、副画面についてのチャンネル切替および音量調整を行うことができる。このため、主画面および副画面についてのチャンネル切替や音量調整を別々のリモコン３，５の操作で個別的に行うことができる。したがって、キー釦の操作時間の長短に基づいてチャンネル切替の対象となる画面が主画面および副画面のいずれであるかが判別される従来のテレビジョン受像機とは異なり、２画面表示の実行時における主画面および副画面についてのチャンネル切替および音量調整を確実かつ容易に行うことができる。
【００４０】
また、２画面表示の実行時においてリモコン５の表示停止スイッチ５３が操作されたときに、主制御部２１が、副画面についての音声を出力させた状態で副画面についてのテレビ映像Ｐｔの表示を停止させることにより、例えば、１つのチャンネルの番組のテレビ映像Ｐｔを１画面表示させた状態でそのテレビ映像Ｐｔとその番組の音声とをあるユーザが視聴し、他のチャンネルの番組の音声だけをヘッドホン４を用いて他のユーザが聴くような使用形態に対応することができる。また、このような使用形態においても、１画面表示させる番組のチャンネル切替や音量調整と、ヘッドホン４を用いて音声を聴く番組のチャンネル切替や音量調整とを別々のリモコン３，５を用いて個別的に行うことができる。
【００４１】
また、リモコン５のプラグ５ｂを端子１９ｂに挿入してリモコン５と主制御部２１とが通信可能な状態となったときに、主制御部２１が、２画面表示処理を実行することにより、リモコン３を用いることなく、プラグ５ｂを端子１９ｂに挿入するだけで、１画面表示から２画面表示への切替えを行うことができる。また、リモコン５をヘッドホン４に取り付けたことにより、リモコン５の紛失を確実に防止することができる。
【００４２】
なお、本発明は、上記の構成に限定されない。例えば、リモコン５を用いて副画面についてのチャンネル切替および音量調整の両者を行う例について上記したが、これらのうちの一方だけをリモコン５を用いて行う構成を採用することもできる。また、チャンネル切替および音量調整に加えて、例えば、副画面として表示させる映像を外部装置からの映像に切り替える操作等をリモコン５を用いて行う構成を採用することもできる。また、プラグ５ａ，５ｂおよびケーブルを介して操作信号Ｓｏ２や音声信号Ｓｓを送受信する例について上記したが、無線通信によってこれらの信号を送受信する構成を採用することもできる。この場合、例えば、リモコン５用の電源スイッチをリモコン５に設け、その電源スイッチが操作されて主制御部２１とリモコン５とが通信可能な状態となったときに、主制御部２１が２画面表示処理を実行する構成を採用することもできる。また、リモコン５をヘッドホン４に取り付けた例について上記したが、ヘッドホン４とリモコン５とを別体に構成することもできる。
【００４３】
また、表示部を備えていない受信装置等に本発明を適用することもできる。また、光学エンジン３１およびスクリーンパネル３２を備えて表示部１１を構成した例について上記したが、表示部として、ＣＲＴ、液晶表示パネルおよびプラズマディスプレイを採用することもできる。また、ヘッドホン４を備えた例について上記したが、ヘッドホン４に代えてイヤホンを採用し、そのイヤホンにリモコン５を取り付けることもできる。
【図面の簡単な説明】
【００４４】
【図１】テレビ１の構成を示すブロック図である。
【図２】テレビ１の正面図である。
【図３】テレビ映像Ｐｔ２の表示画面図である。
【図４】チャンネルＣＨ１の音量レベルを増加させたときの表示画面図である。
【図５】テレビ映像Ｐｔ２，Ｐｔ３が２画面表示されたときの表示画面図である。
【図６】テレビ映像Ｐｔ３，Ｐｔ４が２画面表示されたときの表示画面図である。
【図７】チャンネルＣＨ２の音量レベルを増加させたときの表示画面図である。
【図８】副画面制御処理６０のフローチャートである。
【図９】テレビ映像Ｐｔ４，Ｐｔ５が２画面表示されたときの表示画面図である。
【図１０】チャンネルＣＨ７の音量レベルを減少させたときの表示画面図である。
【図１１】テレビ映像Ｐｔ４を１画面表示させたときの表示画面図である。
【図１２】表示切替処理７０のフローチャートである。
【図１３】表示切替処理８０のフローチャートである。
【符号の説明】
【００４５】
１  テレビ、３，５  リモコン、４  ヘッドホン、１１  表示部、２１  主制御部、５３  表示停止スイッチ、ＣＨ１〜ＣＨ３，ＣＨ６，ＣＨ７  チャンネル、Ｐｔ１〜Ｐｔ５  テレビ映像
【図１】
2006295428.tif 000003
【図２】
2006295428.tif 000004
【図３】
2006295428.tif 000005
【図４】
2006295428.tif 000006
【図５】
2006295428.tif 000007
【図６】
2006295428.tif 000008
【図７】
2006295428.tif 000009
【図８】
2006295428.tif 000010
【図９】
2006295428.tif 000011
【図１０】
2006295428.tif 000012
【図１１】
2006295428.tif 000013
【図１２】
2006295428.tif 000014
【図１３】
2006295428.tif 000015